(57)【特許請求の範囲】
【請求項１】
無線遠距離通信ネットワークの自動チューニングコンバイナー内でアクティブコンバイナーフィルタを自動的に未使用周波数に再チューニングし、代替コンバイナーフィルタを始動するためのローカル制御機構であって、前記機構は全て遠隔基地局に存在し、
アクティブコンバイナーフィルタ上の無線周波数（ＲＦ）エネルギーレベルを、設定されたサンプリング周波数でサンプリングするための手段と、
前記サンプリングされたＲＦエネルギーレベルが予め定められたＲＦエネルギー閾値を超えるか否かを判定するための手段と、
予め定められたＲＦエネルギー閾値以下の連続するＲＦエネルギーレベルのサンプル個数が、設定されたトリガ数を超えたか否かの判定を行うための手段と、
前記ＲＦエネルギー閾値以下の連続するＲＦエネルギーのサンプル個数が前記トリガ数を超えた場合、前記アクティブコンバイナーフィルタを未使用周波数に再チューニングし、前記代替コンバイナーフィルタを始動するための装置とを含むローカル制御機構。
【請求項２】
予め定められたＲＦエネルギー閾値を変更するための手段を更に含む請求項１に記載された、コンバイナーフィルタを自動的に未使用周波数に再チューニングするためのローカル制御機構。
【請求項３】
ＲＦエネルギーサンプルのトリガ数を設定するための手段を更に含む請求項１に記載された、コンバイナーフィルタを自動的に未使用周波数に再チューニングするためのローカル制御機構。
【請求項４】
前記採取されたサンプル個数をゼロにリセットするための手段を更に含む請求項１に記載された、コンバイナーフィルタを自動的に未使用周波数に再チューニングするためのローカル制御機構。
【請求項５】
前記サンプリング周波数を設定するための手段を更に含む請求項４に記載された、コンバイナーフィルタを自動的に未使用周波数に再チューニングするためのローカル制御機構。
【請求項６】
一次コンバイナーフィルタを前記アクティブコンバイナーフィルタ、および代替コンバイナーフィルタと局部的に指定するための手段を更に含む請求項５に記載された、コンバイナーフィルタを自動的に未使用周波数に再チューニングするためのローカル制御機構。
【請求項７】
一次コンバイナーフィルタを前記アクティブコンバイナーフィルタ、および代替コンバイナーフィルタと遠隔的に指定するための手段を更に含む請求項６に記載された、コンバイナーフィルタを自動的に未使用周波数に再チューニングするためのローカル制御機構。
【請求項８】
無線遠距離通信ネットワークの自動チューニングコンバイナー内でアクティブコンバイナーフィルタを自動的に未使用周波数に再チューニングし、代替コンバイナーフィルタを始動するための方法であって、前記方法は全て遠隔基地局内で実行され、
アクティブコンバイナーフィルタ上の無線周波数（ＲＦ）エネルギーレベルを、設定されたサンプリング周波数でサンプリングし、
前記サンプリングされたＲＦエネルギーレベルが予め定められたＲＦエネルギー閾値を超えるか否かを判定し、
予め定められたＲＦエネルギー閾値以下の連続するＲＦエネルギーサンプル個数が前記トリガ数を超えたか否かを判定し、
前記ＲＦエネルギー閾値以下の連続するＲＦエネルギーサンプル個数が前記トリガ数を超えた場合、前記アクティブコンバイナーフィルタを未使用周波数に再チューニングし、前記代替コンバイナーフィルタを始動するステップを含む方法。
【請求項９】
前記予め定められたＲＦエネルギー閾値を変更するステップを更に含む請求項８に記載された、コンバイナーフィルタを自動的に未使用周波数に再チューニングするための方法。
【請求項１０】
ＲＦエネルギーサンプルのトリガ数を設定するステップを更に含む請求項８に記載された、コンバイナーフィルタを自動的に未使用周波数に再チューニングするための方法。
【請求項１１】
前記採取されたサンプル個数をゼロにリセットするステップを更に含む請求項８に記載の方法。
【請求項１２】
サンプリング周波数を設定するステップを更に含む請求項１１に記載された、コンバイナーフィルタを自動的に未使用周波数に再チューニングするための方法。
【請求項１３】
一次コンバイナーフィルタを前記アクティブコンバイナーフィルタ、および代替コンバイナーフィルタと局部的に指定するステップを更に含む請求項１２に記載された、コンバイナーフィルタを自動的に未使用周波数に再チューニングするための方法。
【請求項１４】
一次コンバイナーフィルタを前記アクティブコンバイナーフィルタ、および代替コンバイナーフィルタと遠隔的に指定するステップを更に含む請求項１２に記載された、コンバイナーフィルタを自動的に未使用周波数に再チューニングするための方法
【発明の詳細な説明】
産業上の利用分野
本発明はセルラ遠距離通信ネットワークに係わり、更に詳細にはネットワーク制御チャンネルのバックアップを実施するための改善されたシステム並びに方法に関する。
従来の技術
最新セルラ遠距離通信ネットワークでは、ネットワークは複数のセルに分割され、それらは移動局に対して定義されたエリアのサービスを行う。各々のセルは基地局を含み、これはそのセルのカバーエリア内に配置されている移動局（移動電話機）との間で音声および制御情報の送受信を行う。各々のセルは移動局に対する制御情報を中継する別個の制御チャンネルと、音声情報を中継するための音声チャンネルとを採用している。現在、セルラ遠距離通信ネットワークは制御情報を通すためにアナログ制御チャンネルを使用しているが、アナログ技術に関連する多くの制約および問題点を解決するためにディジタル技術が導入され始めてきている。従って、セルラ遠距離通信業界ではディジタル制御チャンネル（ＤＣＣＨ）の規格を纏める方向に急速に動いており、これは移動体電話周波数スペクトル全体に対して、総合的周波数敏活性を有するものである。ディジタル制御チャンネルに関するセルラ業界規格の現行の版は、プロジェクト番号第３０１１−２のＥＩＡ／ＴＩＡインターリム規格ＩＳ−５４−Ｃ，”Cellular System Dual-Mode Mobile Station-Base Station Compatibility Standard”１９９４年４月８日、に記述されており、この言及によりここに組み込まれている。
制御チャンネルは、アナログであろうがディジタルであろうが、移動体加入者がセルラ遠距離通信ネットワーク内のセルが提供するサービスにアクセスするための機能を実行する。従って、もしも制御チャンネルが故障すると加入者はセルが提供するサービスにアクセスして利用することが出来なくなり、その結果顧客の不満が高じてネットワーク運用管理者の売り上げが減少することになる。
セルラ遠距離通信ネットワークの中では、移動体の呼は連続的に処理されなければならない。従って、基地局が連続的に運転されることが重要である。もしも制御チャンネルが基地局の送信機上に組み込まれていて、その送信機がその後に故障したとすると、その基地局のセル内の全ての移動局はもはや新たな通信をその基地局と確立することは出来なくなる。従って、基地局がバックアップ制御チャンネルを持ち、高いサービスレベルがその関連するセル内で確実に維持できるようにすることが望ましい。
既存のセルラ基地局および双方向中継システムでは、複数の送信機が存在し共通の送信アンテナが無線機グループの中で共有されている。適切な無線周波数（ＲＦ）装置が複数の送信機を単一のアンテナに結合するために必要とされる。ＲＦコンバイナーはその様な結合装置の典型的な例である。
低電力アプリケーション（すなわち、数ワットまたはそれ以下の範囲）では、ハイブリッド型コンバイナー技術がしばしば使用されている。しかしながら、より高い電力（数十から数百ワットまたはそれ以上）に対しては、コンバイナーフィルタを具備したコンバイナーシステムが使用される。コンバイナーフィルタは周波数に敏感で、手動または自動で行われるチューニングを必要とする。チューニングが自動的に行われる場合、そのコンバイナーは自動チューンコンバイナー（ＡＴＣ）として知られている。
アクティブチャンネル間の最少周波数間隔を決めて十分なＲＦ分離、インピーダンス整合、並びにＡＴＣコンバイナーシステム内での良好なリターンロス（反射されたＲＦエネルギー）を確保する必要がある。もしも２つのコンバイナーフィルターがコンバイナーシステム内で同一周波数にチューニングされるとすると適切なＲＦ分離は維持されない。
例えば米国内の先進移動体電話サービス（ＡＭＰＳ）、いくつかのヨーロッパおよびアジアの国々での総合アクセス通信システム（ＴＡＣＳ）の様な既存のアナログセルラ無線システムでは、制御チャンネルは周波数の対を表す専用チャンネル番号を使用している。１つのセルで制御チャンネルの故障を経験すると、同一チャンネル番号上で動作するバックアップ制御チャンネルに通常切り替わる。このバックアップまたは冗長制御チャンネルはそのセル内で利用できる音声チャンネルトランシーバにより実行される。その音声チャンネルは利用可能状態とされ、制御チャンネルとして再構成され、そして正しいチャンネル番号に再チューニングされる。
手動チューニングコンバイナーがそのセル内で使用される場合は、しばしば同軸スィッチを使用してバックアップ制御チャンネルを故障した制御チャンネルのコンバイナー入力に接続する。空きとなったコンバイナー入力は次に終端処理される。これによってそのＲＦコンバイナーシステムがそのＲＦ特性を維持出来るようになる。同軸スィッチは自動的に運転されなければならず、また適切なインタフェース（電気的信号）およびソフトウェア支援が用意される必要がある。
自動チューニングコンバイナー（ＡＴＣ）が使用される場合、同軸スィッチは不要である。しかしながら故障した制御チャンネルに関連するコンバイナーフィルタは停留されていなければならない。”停留”という用語は未使用周波数に再チューニングし、これによりＲＦ分離とその他の先に述べた望ましいＲＦ特性とが保持されるようにすることを意味する。２つのコンバイナーフィルタが同一周波数にチューニングされると、インピーダンス不整合そして／または過度のリターンロスを生じる。過度のリターンロス（反射されたＲＦエネルギー）は結果として、無線送信機に永久的な損失を与えることとなる。現在のところ、故障した制御チャンネルに関連するコンバイナーフィルタを自動的に停留するためのシステムまたは方法は存在しない。
先に述べた欠陥やここで開示した欠点に対する解決を教える既知の従来技術は存在しないけれど、ここで議論する案件に何らかの関連を有する問題に対して説明している多くの参考となる従来技術が存在している。その様な参考となる従来技術は、米国特許番号第４，８２９，５５４号、バーネス（Barnes）その他に付与、および米国特許番号第５，１７５，８６６号、チルドレス（Childress）その他に付与、である。これら参考物の各々を以下に簡単に説明する。
米国特許番号第４，８２９，５５４号、バーネス（Barnes）その他に付与は無線インタフェースモジュール（ＲＩＭｓ）をセル基地局で使用し、ローカル（基地局）レベルで各々の通信チャンネルを個別に制御する。各々のＲＩＭ装置は基地局と移動局間のリンクの無線部分を独立に設定し、通信および制御信号の両方を含むリンクの保守並びに監視を行う。しかしながらバーネスはＡＴＣコンバイナーフィルタを自動的に停留させて、バックアップ制御チャンネルが同一チャンネル番号で動作した際に十分なＲＦ分離を維持するためのシステムまたは方法に付いては教えてもいないしまた示唆してもいない。
米国特許番号第５，１７５，８６６号、チルドレス（Childress）その他に付与はディジタル的に中継された、公衆遠距離通信システム用のフェイルソフト構築技法である。中継カード（trunking card）が制御チャンネルが割り付けられていて、そこで関連するリピータで送受信されるＲＦ信号を独立に処理する。各インバウンド（inbound）制御チャンネルスロット（移動局がそのアクティブチャンネル獲得要求を送信する時間間隔）の間に、その中継カードはメッセージが受信されているか否かを判定する。もしもメッセージが受信されていると、それが処理される。もしもメッセージが受信されない場合は、その中継カードはそのシステム内の別の中継カードに状態情報の問い合わせ調査を行う。チルドレスのやり方は制御チャンネル故障並びに、それに続く正常運転チャンネルの識別を素早く検出出来るが、チルドレスはＡＴＣコンバイナーフィルタを自動的に停留させて、バックアップ制御チャンネルが同一チャンネル番号で動作した際に十分なＲＦ分離を維持するためのシステムまたは方法に付いては教えてもいないしまた示唆してもいない。
従って先の各参考文献を見直すことにより、ここに説明し特許請求されている様なシステムまたは方法が開示されてもまた示唆されてもいないことが判明する。
故障した制御チャンネルに関連するコンバイナーフィルタを自動的に停留させてこれらの欠点を解決するためのシステムおよび方法を実現することは特別顕著な特長であろう。本発明はそのような解決策を提供する。
発明の目的と要約
１つの特徴として、本発明は無線遠距離通信ネットワークの自動チューニングコンバイナー内でアクティブコンバイナーフィルタを自動的に未使用周波数に再チューニングし、代替コンバイナーフィルタを始動させるためのローカル制御機構である。この機構は全て遠隔基地局に存在し、アクティブコンバイナーフィルタ上の無線周波数（ＲＦ）エネルギーレベルを、設定されたサンプリング周波数でサンプリングする手段と、このサンプリングされたＲＦエネルギーレベルが予め定められたＲＦエネルギー閾値を超えている否かの判定を行うための手段とを含む。この機構はまた、予め定められたＲＦエネルギー閾値以下の連続するＲＦエネルギーレベルのサンプル個数が、設定されたトリガ数を超えたか否かの判定を行うための手段と、前記ＲＦエネルギー閾値以下の連続するＲＦエネルギーのサンプル個数が前記トリガ数を超えた場合、前記アクティブコンバイナーフィルタを未使用周波数に再チューニングし、前記代替コンバイナーフィルタを始動するための手段とを含む。
別の特徴として、本発明は無線遠距離通信ネットワークの自動チューニングコンパイナ内でアクティブコンバイナーフィルタを自動的に未使用周波数に再チューニングし、代替コンバイナーフィルタを始動させる方法である。この方法は全て遠隔基地局内で実行され、アクティブコンバイナーフィルタ上の無線周波数（ＲＦ）エネルギーレベルを、設定されたサンプリング周波数でサンプリングし、このサンプリングされたＲＦエネルギーレベルが予め定められたＲＦエネルギー閾値を超えている否かの判定を行うためのステップとを含む。この方法は次に、予め定められたＲＦエネルギー閾値以下の連続するＲＦエネルギーサンプル個数が前記トリガ数を超えたか否かを判定し、前記ＲＦエネルギー閾値以下の連続するＲＦエネルギーサンプル個数が前記トリガ数を超えた場合、前記アクティブコンバイナーフィルタを未使用周波数に再チューニングし、前記代替コンバイナーフィルタを始動させる。
【図面の簡単な説明】
添付の仕様と共に以下の図面を参照することにより当業者には本発明が更に良く理解されるであろうし、また本発明の種々の目的並びに特長がより明らかとなろう：
図１は、移動体電話ネットワークの一部のブロック図であり、移動体交換機センタ（ＭＳＣ）および、本発明の提出された実施例を実施する上で好適な遠隔基地局とを含む；
図２は、本発明を実施する上で好適な自動チューニングコンバイナーのブロック図；
図３は、動体電話ネットワークの一部のブロック図であり、移動体交換機センタ（ＭＳＣ）および、その中で自動チューニングコンバイナーが本発明の代替実施例の中の遠隔基地局と統合されている遠隔基地局とを含む；
図４は、コンバイナーフィルタを故障検出し、故障したコンバイナーフィルタの停留し、そして本発明の教えるところに基づいてバックアップコンバイナーフィルタをオンライン状態とする際に実行する機能を図示する流れ図。
実施例の詳細な説明
図１には移動体電話ネットワークの一部のブロック図が示されており、これは移動体交換機センタ（ＭＳＣ）１０および、本発明の提出された実施例を実施する上で好適な遠隔基地局２０とを含む。このＭＳＣと遠隔基地局との構成は例示のみを目的として示されており、別のＭＳＣおよび基地局の構成もまた本発明で使用できることを理解されたい。ＭＳＣ１０は中央処理装置１１，グループ切り替え機サブシステム１２，交換機端末回路１３および１４、そしてシグナリング端末（中央）１５および１６とを含む。ＭＭＣはまた、局部的な処理装置１７を含んでもよい。通信リンク１８および１９はＭＳＣ１０を遠隔基地局２０に接続する。シグナリング端末（中央）１５および１６はＭＳＣ１０の中に具備され、中央処理装置１１を各交換機端末回路１３および１４に接続している。１つのシグナリング端末（中央）が、ＭＳＣ１０とネットワークで処理装置のシグナリングメッセージ通信を搬送する共通チャンネルとして使用される。遠隔基地局２０との間に延びる各々の通信リンク１８および１９のために用意されている。シグナリング端末（中央）１５および１６は中央処理装置１１から出力された処理装置シグナリングメッセージを処理し、通信リンク１８および１９上で送信するのに適したフォーマットにフォーマット化する。次に交換機端末回路１３および１４がフォーマット化されたメッセージを遠隔基地局２０へ送信するために、時分割マルチプレクスして通信リンク１８および１９の中に挿入する。
遠隔基地局２０内でＭＳＣ１０の通信リンク１８および１９はマルチプレクサ２１に接続される。共通チャンネルシグナリングシステム用に通信リンク１８および１９上を搬送された処理装置シグナリングメッセージは、次にシグナリング端末（遠隔）２２および２３に接続され、これは更に拡張モジュール局部処理装置２４および２５に接続される。マルチプレクサ２１はフォーマット化された処理装置シグナリングメッセージを通信リンク１８および１９から抽出し、接続されたシグナリング端末（遠隔）２２および２３は処理装置シグナリングメッセージを処理して再フォーマット化し拡張モジュール局部処理装置２４および２５へ出力する。
一方、通信リンク１８および１９上を搬送される加入者通信はマルチプレクサ２１から複数の音声チャンネル回路２６および２７に接続され、加入者通信が移動体電話機２９を用いて無線通信リンク２８を介して容易に行えるようにしている。拡張モジュール局部処理装置２４および２５はまた音声チャンネル回路２６および２７に接続され、更に制御チャンネル回路３０にも接続されて、良く知られている制御メッセージ通信が基地局２０と移動体電話機２９との間の無線通信リンク２８上で容易に行えるようにしている。信号強度回路３１もまた拡張モジュール局部処理装置２４および２５に接続されていて、これは基地局２０と移動体電話機２９との間の無線通信リンク２８上で行われる通信の信号強度を監視するために具備されている。
音声チャンネル回路２６および２７および制御チャンネル回路３０は送信機／受信機およびフィルタ、たとえば自動チューニングコンバイナー（ＡＴＣ）３２に接続されている。
図２は本発明を実施するのに好適な自動チューニングコンバイナー（ＡＴＣ）３２のブロック図である。ＡＴＣ３２は無線周波数（ＲＦ）カード４１、制御装置（ＣＵ）カード４２、少なくとも１つの送信機モジュール４３、少なくとも１つのコンバイナーフィルタ４４、そして指向性カプラ４５とを含む。ＣＵカード４２上の処理装置４６はＡＴＣ３２の機能を制御し、またコンバイナーフィルタの停留切り替え機能をも制御する。処理装置４６は停留切り替え機能をステップモータ駆動装置４７を介して制御し、これは駆動信号４８をステップモータ（図示せず）に送り、これはコンバイナーフィルタ４４を切り替える。処理装置４６はまた標準のＲＳ２３２インタフェース４９にも接続されている。ＲＳ２３２インタフェース４９は現場で設定担当者が処理装置４６に一次および代替コンバイナーフィルタ４４に関する情報をプログラムするために使用される。
ＲＦカード４１は測定切り替え器５１を含み、これは指向性カプラ４５からの順方向電力と反射電力の測定の間の切り替えのために使用される。電力イン（ＰＩＮ）信号５２はアクティブコンバイナーフィルタ４４内のＲＦエネルギーレベルを示す。ＰＩＮ信号５２はチャンネル切り替え器５３およびキャビネット切り替え器５４を介して比較器５５に回送され、そこで測定切り替え器５１からの順方向電力または反射電力信号と比較される。比較されたＰＩＮ信号５２は次に３デシベルスプリッタ５６，増幅器５７、ローパスフィルタ５８、そして比較器５９を通して処理装置４６に送られる。処理装置４６はＰＩＮ駆動装置６１を介して測定切り替え器５１およびチャンネル切り替え器５３を制御する。ステップモータ駆動装置４７、ＰＩＮ駆動装置６１、およびメモリ６２は全てデータバス６３を介して処理装置４６に接続されている。
図３は移動体電話ネットワークの一部のブロック図であり、これは移動体切り替えセンタ（ＭＳＣ）と遠隔基地局とを含み、この中に自動チューニングコンバイナー（ＡＴＣ）が本発明の別の実施例内の遠隔基地局と統合されている。電気的インタフェース３３が、図１の構造のＡＴＣ３２と拡張モジュール局部処理装置２４および２５との間に追加されている。電気的インタフェース３３はＭＳＣ１０からＡＴＣ３２への遠隔アクセスを可能としている。従って、ＡＴＣ処理装置４６を遠隔的に一次および代替コンバイナーフィルタ４４でプログラムする事が可能であり、従って設定担当者がこの目的のために各々の遠隔基地局まで出向く必要が無くなる。
図４は、ＡＴＣ３２内で故障したコンバイナーフィルタ４４を検出し、故障したコンバイナーフィルタを停留し、そしてバックアップコンバイナーフィルタを本発明の教えに基づいてオンラインとする際に実行される機能を図示する流れ図である。目的は１つのＡＴＣシステム内で同一周波数に２つのコンバイナーフィルタがチューニングされることを避けることである。停留機能はＡＴＣ３２内の処理装置４６を用いて実行可能であり、またソフトウェア制御プログラムまたは論理回路経由で制御する事が可能である。
好適なソフトウェア制御プログラムがステップ１０１で開始され、次にステップ１０２に移動してここでアクティブコンバイナーフィルタ内のＲＦエネルギー閾値レベルが設定される。この閾値はたとえば０ｄｂｍであるが、運転条件に応じてその他の閾値を設定することも可能である。次にプログラムはステップ１０３に移りここでトリガが設定される。このトリガは閾値ＲＦレベル以下と測定されたＲＦサンプルの個数であって、本発明の停留機能にトリガを掛けるために必要である。トリガは運転条件に応じて、たとえば５サンプルに設定される。ステップ１０４に於いて、このプログラムはＡＴＣ３２がアクティブコンバイナーフィルタ内でＲＦサンプルを採取するように仕向けられる周波数を設定する。この周波数は、たとえば０．１秒毎に１サンプルと設定することが出来るが、閾値ならびにトリガと同様、運転条件に応じて変化するはずである。トリガ数並びにサンプリング周波数は、サンプル数が極端に少ないかまたはサンプリング周波数が早過ぎてコンバイナーフィルタ故障の誤指示が生じるのを防止するように調整される。
注意しておくべき重要な点は、本発明の制御機構は全て遠隔基地局２０で実現されており、関連する移動体切り替えセンタ（ＭＳＣ）１０または遠隔基地局２０とＭＳＣ１０との間の全てのシグナリングに対して特別なソフトウェアを必要としないことである。しかしながら本発明のローカルな制御機能はＭＳＣ１０で実行される制御機能と共用できるものでなければならない。そのような機能の１つは、ＭＳＣが制御チャンネル故障を検出した際のバックアップ制御チャンネルの始動である。これはトリガ数およびサンプリング周波数に制約を課すが、それはサンプルのトリガ数を採るための全時間が、ＭＳＣ１０がバックアップ制御チャンネルを切り替えて始動するまでの時間枠を超えることが出来ない点に於いてである。もしもそうでないと、２つのコンバイナーフィルタが同一周波数上で停留する可能性があり、結果としてインピーダンス不整合そして／または過剰なリターンロスを引き起こし、ＡＴＣの無線送信機モジュール４３にダメージを与える可能性がある。一般的にＭＳＣ１０が制御チャンネル故障を検出してバックアップを始動するために必要とされる時間枠は１５−３０秒の範囲である。従って、推奨された５サンプルのトリガ数、および０．１秒のサンプリング周波数は本発明のローカル機構が、ＭＳＣ１０が制御チャンネル故障を検出するよりも十分前に、停留および切り替え機能を完了できることを保証している。
更に図４を参照すると、ステップ１０５でプログラムは採取済みＲＦサンプル数をゼロ（０）に設定することでシステムの初期化を行う。次にアクティブコンバイナーフィルタがＡＴＣの一次ポート（ＰＰ）にステップ１０６で設定される。ステップ１０７に於いて、ＡＴＣ３２はアクティブコンバイナーフィルタ４４内の無線周波数（ＲＦ）のサンプリングを開始される。次にプログラムはステップ１０８に移り、ここでサンプルを採られた個数が一つ（１）更新される。次にプログラムはステップ１０９に移り、ここでアクティブコンバイナーフィルタ内のＲＦエネルギーが閾値を超えているか否かの判定が行われる。もしもＲＦエネルギーが閾値を超えている場合は、アクティブコンバイナーフィルタが制御チャンネルが動作するために十分な量のＲＦエネルギーを生成していることになる。プログラムは次にステップ１１１に移り、ここで採取されたサンプル個数がゼロ（０）にリセットされる。プログラムは次にステップ１０７に戻り、ＡＴＣ３２のアクティブコンバイナーフィルタ内のＲＦエネルギーのサンプリングを継続する。
しかしながらもしもステップ１０９でアクティブコンバイナーフィルタ内のＲＦエネルギーが閾値を超えていないと判定された場合は、プログラムはステップ１１２に移りここで採取されたサンプルの個数がトリガ数と比較され、連続して閾値以下であるサンプルの個数がトリガ数を超えているか否かの判定が行われる。もしもサンプルの個数がトリガ数を超えていない場合は、プログラムはステップ１０７に戻りアクティブコンバイナーフィルタ内のＲＦエネルギーの別のサンプルを採取する。
しかしながらもしもステップ１１２で閾値以下のサンプル個数がトリガ数を超えると判定されると、プログラムはステップ１１３に進み、ここでプログラムはＡＴＣ３２がアクティブコンバイナーフィルタを停留させるようにする。ステップ１１４でプログラムはアクティブコンバイナーフィルタを切り替える。もしもＡＴＣが一次コンバイナーフィルタを監視していた場合は、アクティブコンバイナーフィルタは代替ポート（ＡＰ）に切り替えられる。もしもＡＴＣが代替コンバイナーフィルタを監視していた場合は、アクティブコンバイナーフィルタは一次ポート（ＰＰ）に切り替えられる。ステップ１１５に於いて、サンプル個数はゼロ（０）にリセットされ、プログラムはステップ１０７に戻りここで新たなアクティブコンバイナーフィルタ内のＲＦエネルギーのサンプリングが継続される。
以上の説明から本発明の動作並びに構成が明らかと信じる。図示され説明された方法、装置並びにシステムは提出された通りに特徴付けられてはいるが、添付の特許請求の範囲で定義された本発明の精神および範囲から逸脱することなく、種々の変更および改変が行えることは容易に明らかであろう。
【図１】
0003897126.tif 000002
【図２】
0003897126.tif 000003
【図３】
0003897126.tif 000004
【図４】
0003897126.tif 000005